(57)【要約】      （修正有）【課題】フロントグリップやリアグリップ等のグリップ体に代表される釣竿用部材や釣竿のグリップ部において、そのグリップ力を従来に比して容易に向上させることができる釣竿用部材及び釣竿を提供する。【解決手段】竿本体１に装着され、少なくとも外周面がグリップ用素材からなる釣竿用部材２であって、前記外周面には、多数の凹部が不規則あるいは規則的に配列されたグリップ模様がレーザー光の照射により形成されてその周囲の部分と区画された高グリップエリアＰが、周方向に間隔をあけて複数箇所設けられている。【選択図】図１
2014239663.tif 000002
【特許請求の範囲】
【請求項１】
竿本体に装着され、少なくとも外周面がグリップ用素材からなる釣竿用部材であって、前記外周面には、多数の凹部が不規則あるいは規則的に配列されたグリップ模様がレーザー光の照射により形成されてその周囲の部分と区画された高グリップエリアが、周方向に間隔をあけて複数箇所設けられていることを特徴とする釣竿用部材。
【請求項２】
釣竿用部材を高グリップエリアの周方向中心線上の径方向外側から見たときにおいて、該高グリップエリアが形成された釣竿用部材の部分を視認方向に投影したときの周方向の投影長さの最大値をＡとし、前記視認方向に投影した高グリップエリアの周方向の投影長さの最大値をＢとしたとき、ＢはＡの半分以上である請求項１記載の釣竿用部材。
【請求項３】
高グリップエリアの釣竿用部材の中心軸線まわりの中心角が９０度以下である請求項２記載の釣竿用部材。
【請求項４】
高グリップエリアが釣竿用部材の中心軸線まわりに１８０度対向して一対設けられている請求項１乃至３の何れかに記載の釣竿用部材。
【請求項５】
請求項１乃至４の何れかに記載の釣竿用部材を備えた釣竿。
【請求項６】
把持されるグリップ部を備えた釣竿であって、グリップ部の表面には、多数の凹部が不規則あるいは規則的に配列されたグリップ模様がレーザー光の照射により形成されてその周囲の部分と区画された高グリップエリアが、周方向に間隔をあけて複数箇所設けられていることを特徴とする釣竿。
【発明の詳細な説明】
【技術分野】
【０００１】
本発明は、フロントグリップやリアグリップ等の釣竿用部材と釣竿に関する。
【背景技術】
【０００２】
釣竿には種々の釣竿用部材が使用される。該釣竿用部材としては、例えば、竿本体（ブランク）の外側に装着されるフロントグリップやリアグリップといったグリップ体が存在する。かかるグリップ体はコルクや発泡ＥＶＡのようなグリップ用素材から構成されて、例えば全体として円筒状に形成されている。該グリップ体は、その内側に竿本体が挿通されて竿本体の外周面に固着されて、釣竿のグリップ部を構成する。このようなグリップ体の表面、即ち、外周面にレーザー光を照射して文字等の表示部を形成する構成について、本出願人は既に下記特許文献１のように提案している。
【０００３】
しかしながら、グリップ体の外周面は平坦面ではなく曲面であるためにその全周のうちの一箇所のみに表示部を形成するものであった。しかも、その表示部の周方向の長さ、即ち幅寸法も短いものであって、あくまでもスポット的に表示部を形成する構成に過ぎないものであった。そのため、表示部の耐摩耗性については従来の印刷手法に比して格段に向上されたものの、グリップ体を把持した際のグリップ力を向上させるまでには至らなかった。
【先行技術文献】
【特許文献】
【０００４】
【特許文献１】特開２００２−３０６０２９号公報
【発明の概要】
【発明が解決しようとする課題】
【０００５】
それゆえに本発明は上記従来の問題点に鑑みてなされ、フロントグリップやリアグリップ等のグリップ体に代表される釣竿用部材、あるいは、釣竿のグリップ部において、そのグリップ力を従来に比して容易に向上させることができる釣竿用部材及び釣竿を提供することを課題とする。
【課題を解決するための手段】
【０００６】
本発明は上記課題を解決すべくなされたものであって、本発明に係る釣竿用部材は、竿本体に装着され、少なくとも外周面がグリップ用素材からなる釣竿用部材であって、前記外周面には、多数の凹部が不規則あるいは規則的に配列されたグリップ模様がレーザー光の照射により形成されてその周囲の部分と区画された高グリップエリアが、周方向に間隔をあけて複数箇所設けられていることを特徴とする。
【０００７】
該構成の釣竿用部材の外周面には、釣竿用部材の中心軸線方向と周方向に所定長さを有する高グリップエリアが設けられている。該高グリップエリアはグリップ模様が形成されたエリアである。かかるグリップ模様は、文字ではなく、レーザー光の照射によって多数の凹部が不規則あるいは規則的に配列されて構成されたものであり、その高グリップエリアの周囲の部分には多数の凹部が形成されていない。従って、高グリップエリアは、凹部の有無という点で、その周囲の部分から区画されている。このような高グリップエリアが釣竿用部材の外周面に設けられていることにより、その釣竿用部材の外周面をしっかりと把持することができる。即ち、高グリップエリアを設けることによって釣竿用部材のグリップ力が向上することになる。従って、高グリップエリアは広い面積を有することが好ましく、特に周方向に長く延びていることが好ましい。
【０００８】
しかしながら、釣竿用部材の外周面は平面ではなく周方向に湾曲した曲面であるため、周方向に長い高グリップエリアをレーザー光の照射により形成する場合には次のような問題が生じ得る。即ち、釣竿用部材の中心軸線と直交する所定の方向からレーザー光を釣竿用部材の外周面に向けて照射する場合、その照射方向から見て外周面の周方向の中央付近はレーザー光が直角に近い角度で照射されることになるのに対して、その照射方向から見て外周面の周方向の両縁部付近はレーザー光が傾斜した浅い角度で照射されることになる。そのため、照射方向から見て外周面の周方向の中央付近における凹部についてはそれを正確に形成することが容易である一方、照射方向から見て外周面の周方向の両縁部付近における凹部についてはそれを正確に形成することが極めて困難であった。
【０００９】
例えば、釣竿用部材が円筒状である場合には、釣竿用部材の中心軸線と直交する所定の方向からレーザー光を釣竿用部材の外周面に向けて照射することによって釣竿用部材の外周面の半周分、即ち、全周３６０度分のうちその半分である１８０度分にレーザー光を照射して、その１８０度分のエリア全体にグリップ模様を構成する凹部を形成することも考えられる。そして、その後に例えば釣竿用部材を中心軸線まわりに１８０度回転させて二回目の照射を行うことにより、残る１８０度分のエリアにもグリップ模様を形成し、この二回の照射によって実質上全周に亘ってグリップ模様を形成するということも考えられるところではある。しかしながら、１８０度分のエリアのうち周方向の両縁部付近においては外周面にレーザー光が浅い角度で当たることになるため、その両縁部付近では凹部を正確に形成することが困難となったのである。
【００１０】
そこで、本発明者が更に検討を重ねた結果、照射方向から見て外周面の周方向の両縁部付近については敢えて凹部を形成しないようにするという知見を得て本発明の完成に至ったものである。即ち、高グリップエリアを周方向に間隔をあけて複数箇所に形成し、周方向に隣り合う高グリップエリア同士の間には敢えてグリップ模様を形成しないエリアを設けるようにしたものである。このように、高グリップエリアを一箇所ではなく周方向に間隔をあけて複数箇所形成することにより、外周面の全周のうち高グリップエリアが占める割合を容易に拡大することができて高いグリップ力を確保することができる。その一方、周方向に隣り合う高グリップエリア同士の間にはグリップ模様の形成されていないエリアを敢えて設けることによって、個々の高グリップエリアについては、多数の凹部からなるグリップ模様を正確に形成することができ、良好なデザイン性も確保することができる。即ち、高いグリップ力と良好なデザイン性を容易に両立させることができるのである。尚、高グリップエリアの個数は任意であって、二個であってもよいし、三個以上であってもよいが、各高グリップエリアの周方向両側には多数の凹部を形成しないエリアを設けるようにする。また、高グリップエリアの周方向の長さも任意であり、複数の高グリップエリアの周方向の長さが互いに異なっていてもよい。
【００１１】
特に、釣竿用部材を高グリップエリアの周方向中心線上の径方向外側から見たときにおいて、該高グリップエリアが形成された釣竿用部材の部分を視認方向に投影したときの周方向の投影長さの最大値をＡとし、前記視認方向に投影した高グリップエリアの周方向の投影長さの最大値をＢとしたとき、ＢはＡの半分以上であることが好ましく、高いグリップ力を容易に確保することができる。尚、例えば釣竿用部材が円筒状である場合には、Ａは高グリップエリアが形成された釣竿用部材の部分における外径の最大値（最大径）であり、その高グリップエリアが形成された釣竿用部材の部分が径一定である場合にはその外径である。
【００１２】
更に、高グリップエリアの釣竿用部材の中心軸線まわりの中心角が９０度以下であることが好ましい。このような中心角とすると、凹部の形状を正確に形成することが容易であって、高いグリップ力と良好なデザイン性の両立がより一層容易になる。尚、グリップ模様の構成、即ち凹部の形状や配列によっては、高グリップエリアの上記中心角が９０度を越えるようにすることも可能であるが、その場合であっても、周方向に隣り合う高グリップエリア同士の間にはグリップ模様を形成しないエリアを設けるようにする。
【００１３】
また、高グリップエリアが釣竿用部材の中心軸線まわりに１８０度対向して一対設けられていることが好ましい。上述したように高グリップエリアの個数は任意であるが、１８０度対向して一対設けることにより、レーザー光の照射方向が二方向で足り、レーザー光の照射回数、即ち、レーザー光に対して釣竿用部材を所定の向きにセットする回数が二回で済むことから、製造コストを最小限に抑制することができる。そして、二個の高グリップエリアを１８０度対向した位置に設けることにより、安定したグリップ力も容易に確保され、バランスのよいデザインも容易に得られる。
【００１４】
そして、本発明に係る釣竿はこのような釣竿用部材を備えたものである。
【００１５】
また、本発明に係る釣竿は、把持されるグリップ部を備えた釣竿であって、グリップ部の表面には、多数の凹部が不規則あるいは規則的に配列されたグリップ模様がレーザー光の照射により形成されてその周囲の部分と区画された高グリップエリアが、周方向に間隔をあけて複数箇所設けられていることを特徴とする。
【発明の効果】
【００１６】
以上のように、フロントグリップやリアグリップ等の釣竿用部材の外周面や、釣竿のグリップ部の表面に、レーザー光の照射によって形成した高グリップエリアを周方向に間隔をあけて複数箇所設けることにより、釣竿用部材のグリップ力を従来に比して容易に向上させることができる。
【図面の簡単な説明】
【００１７】
【図１】本発明の一実施形態における釣竿用部材を示し、（ａ）は正面図、（ｂ）は断面図。
【図２】同釣竿用部材の要部拡大正面図。
【図３】同釣竿用部材の外周面のエリア構成を示した概念図。
【図４】同釣竿用部材の外周面において高グリップエリアの範囲を説明するための概念図。
【図５】同釣竿用部材のグリップ模様の要部拡大図。
【図６】（ａ）及び（ｂ）は本発明の他の実施形態における釣竿用部材のグリップ模様を示す要部拡大図。
【発明を実施するための形態】
【００１８】
以下、本発明の一実施形態に係る釣竿用部材について図１〜図５を参酌しつつ説明する。本実施形態における釣竿用部材は、竿本体１（ブランク）に装着されて釣竿のグリップ部を構成するグリップ体であって、より詳細には、リールを釣竿に装着するためのリールシートの前側（竿先側）に位置するフロントグリップ２である。フロントグリップ２は大物用の釣竿に設けられることが多い。従って、特に、フロントグリップ２には、大物魚を釣り上げる際に滑らずにしっかりと把持できるように大きなグリップ力が求められる。尚、以下、フロントグリップ２の中心軸線方向と周方向をそれぞれ単に中心軸線方向と周方向と称する。
【００１９】
フロントグリップ２は、全体として円筒状であって、その中心軸線方向に沿った貫通孔３に竿本体１が挿通されて、接着により竿本体１の外周面に固定される。該フロントグリップ２は、少なくともその外周面がグリップ用素材から構成され、より詳細には、外周面のみならずその全体がグリップ用素材から構成されたものである。グリップ用素材には把持した際に滑り止め機能を発揮する素材が適用でき、適度なクッション性を備えていることが好ましい。グリップ用素材としては例えば発泡ＥＶＡ等の発泡樹脂、コルク、木等が例示でき、特に、発泡ＥＶＡから形成すると、製造も容易であり低コストであるうえに、適度な柔らかさとクッション性を備えていて軽量化にも適しているため好ましい。
【００２０】
フロントグリップ２の外周面には、中心軸線方向に所定間隔離間して環状溝４が二本ずつ形成されている。一方の二本の環状溝４と他方の二本の環状溝４との間の部分は、外径が一定のストレート部分であって主要部５として構成されている。該主要部５はフロントグリップ２の全長のうち半分以上の長さを占めており、主としてこの主要部５が把持されることになる。一方の二本の環状溝４と他方の二本の環状溝４は、デザイン性のみならず、把持した際に主要部５の位置を釣り人に触感として知らせる意味も有している。尚、この環状溝４は二本ずづではなく一本ずつであってもよいし、その本数は任意であって、また省略されていてもよい。また、主要部５に対して一方の二本の環状溝４よりも一端部側には、主要部５から離れる程、即ち、一端部に近づく程に外径が徐々に大きくなった先太り状のテーパ部６が形成されている。このフロントグリップ２の竿本体１への装着方向は任意であるが、本実施形態では、テーパ部６が竿先側を向くようにして装着される。
【００２１】
主要部５の外周面には、高グリップエリアＰが周方向に１８０度対向して一対設けられている。該高グリップエリアＰは、多数の凹部が不規則あるいは規則的に配列されたグリップ模様により構成されており、そのグリップ模様が形成されることで、凹部が形成されていない周囲の部分と区画されている。本実施形態では多数の凹部が規則的に配列されたグリップ模様となっている。
【００２２】
グリップ模様の詳細について説明する。図５に示す矢印Ｘの方向が中心軸線方向であり、矢印Ｙの方向が周方向である。本実施形態のグリップ模様は、凹部が多数連結されて構成された凹部連結体１０が中心軸線方向に一定間隔毎に繰り返し並設されたものである。凹部連結体１０は、中心軸線方向に対して所定角度傾斜した方向に直線状に延びる第一の傾斜溝１１（第一の凹部）と、該第一の傾斜溝１１の方向に対して交差するように、中心軸線方向に対して第一の傾斜溝１１とは反対側に所定角度傾斜した方向に延びる第二の傾斜溝１２（第二の凹部）とが、周方向に交互に繰り返し連結されて構成されている。この第一の傾斜溝１１や第二の傾斜溝１２の中心軸線方向に対する傾斜角度は、例えば２０〜７０度である。また、第一の傾斜溝１１と第二の傾斜溝１２は、くの字状（Ｖ字状）となるようにして互いに連結されており、周方向に交互に繰り返し連結されることから、凹部連結体１０は全体としては周方向に延びるジグザグ形状となっている。
【００２３】
第一の傾斜溝１１と第二の傾斜溝１２の個数は任意であるが、図５には第一の傾斜溝１１が五個、第二の傾斜溝１２が四個であって、両端に第一の傾斜溝１１が配置されたものを例示している。第一の傾斜溝１１と第二の傾斜溝１２の幅は本実施形態では互いに略等しくしているが互いに異なっていてもよく、その幅は例えば０．１〜２ｍｍ、好ましくは０．２〜１ｍｍであり、上述した環状溝４よりも狭いことが好ましい。また第一の傾斜溝１１と第二の傾斜溝１２の深さも本実施形態では互いに略等しくしているが互いに異なるようにしてもよく、その深さは例えば０．０５〜１ｍｍ、好ましくは０．１〜０．５ｍｍであり、上述した環状溝４よりも浅くすることが好ましく、また、第一の傾斜溝１１や第二の傾斜溝１２の幅よりも浅くすることが好ましい。更に、第一の傾斜溝１１と第二の傾斜溝１２の長さは、例えば１〜１０ｍｍであって好ましくは２〜７ｍｍであり、互いに等しくてもよいが、本実施形態では第一の傾斜溝１１の方が第二の傾斜溝１２よりも長くなっている。尚、中心軸線方向に隣り合う凹部連結体１０同士の間の間隔（ピッチ）は、例えば１〜５ｍｍであって、少なくとも第一の傾斜溝１１や第二の傾斜溝１２の幅よりも広くする。
【００２４】
このようなグリップ模様は、レーザー光をフロントグリップ２の外周面に照射することにより形成される。レーザー光の照射口の前方にフロントグリップ２の外周面をセットし固定して、レーザー光の照射口の前方にフロントグリップ２の中心軸線を一致させる。そして、中心軸線に対して直交する方向である径方向外側からフロントグリップ２の外周面に向けてレーザー光を照射する。フロントグリップ２の一回のセットで、即ち、レーザー光の一回の照射によって、高グリップエリアＰが一箇所形成されることになる。従って、高グリップエリアＰを二箇所に形成する場合にはフロントグリップ２を二回セットすればよい。レーザーとしては、ＹＡＧレーザーやＣＯ２レーザー等を例示することができる。特にグリップ用素材として発泡ＥＶＡを用いている場合においてＣＯ２レーザーを使用すると、レーザー光の照射によって凹部である第一の傾斜溝１１や第二の傾斜溝１２を形成する際に発泡ＥＶＡが熱によって局所的に溶解し、第一の傾斜溝１１や第二の傾斜溝１２の表面に硬化した層が厚く形成される。発泡ＥＶＡはクッション性があって柔らかいものの、第一の傾斜溝１１や第二の傾斜溝１２の開口縁は、第一の傾斜溝１１や第二の傾斜溝１２の側面上部に形成された厚い硬化層によって変形しにくくて硬くエッジが立った状態となる。そのため、第一の傾斜溝１１や第二の傾斜溝１２の開口縁への手の引っかかりが良くなり、グリップ模様に手が食い付きやすくなって、手触り感よりも滑りにくさを重視するような場合に好適で、特に大物釣り用として好ましい。一方、ＹＡＧレーザーを使用すると、表面の硬化層は薄くなるので、発泡ＥＶＡのクッション性が活かされて柔らかくてしっくりと手になじむグリップ模様を形成することができる。
【００２５】
このようなグリップ模様が形成されることによりその周囲の部分から区画された高グリップエリアＰは、図１に示すように、その周方向の長さよりも中心軸線方向の長さＬの方が長くなっている。尚、高グリップエリアＰの中心軸線方向の長さＬは凹部連結体１０の並設個数や間隔によって変化するが、何れにしても主要部５の全長のうち大部分の長さを占める長さとすることが好ましく、本実施形態では主要部５に凹部連結体１０をそれ以上配置できない程度まで繰り返し配置して形成している。従って、高グリップエリアＰの中心軸線方向の長さＬは、フロントグリップ２の全長に対しても少なくともその半分以上の長さとすることが好ましい。
【００２６】
上述したように高グリップエリアＰは、主要部５の外周面に周方向に１８０度対向して一対形成されているのであるが、高グリップエリアＰとグリップ模様が形成されていないエリアＱとの関係を図３に概念的に示している。この図３はフロントグリップ２を中心軸線方向に見た場合の概念図であって、外周面の全周のうち、１８０度対向して高グリップエリアＰが一対設けられ、その高グリップエリアＰ同士の間には、グリップ模様が形成されていないエリアＱが設けられており、該グリップ模様が形成されていないエリアＱもまた１８０度対向して一対設けられることになる。一対の高グリップエリアＰの周方向の長さは互いに異なっていてもよいが、本実施形態においては互いに等しく、従って一対の高グリップエリアＰの中心角αもまた互いに等しい。尚、この中心角αはフロントグリップ２の中心軸線まわりの中心角αである。そして、上述のように所定の方向からレーザー光を照射することによってグリップ模様を形成することから、高グリップエリアＰの中心角αは、半周分である１８０度を越えない範囲となる。そして、グリップ模様の凹部の形状によっては中心角αを９０度を越えて１８０度以下とすることもできるが、高いグリップ力を確保しつつも凹部の形状を正確に形成しやすいという観点からは９０度付近（８０〜１００度）とすることが好ましく、また凹部の形状をより正確に形成しやすいという点では９０度以下とすることが好ましい。
【００２７】
一方、高グリップエリアＰの周方向の長さを上述のような中心角αで特定するのではなく、フロントグリップ２を高グリップエリアＰの周方向の中心線上の径方向外側から見たときにおける視認方向の投影長さで特定すると以下のようになる。即ち、フロントグリップ２を高グリップエリアＰの周方向の中心線上の径方向外側から見ると図２のようになる。その場合において、高グリップエリアＰが形成された釣竿用部材の部分を視認方向に投影したとき、その部分の周方向の投影長さの最大値をＡと、その視認方向に投影した高グリップエリアＰの周方向の投影長さの最大値をＢとして両者を比較したとき、ＢがＡの半分以上になることが好ましい。本実施形態において高グリップエリアＰが形成された釣竿用部材の部分は主要部５であり、その主要部５は径一定であるため、Ａは主要部５の外径となる。このＡについては図４にも示している。また、本実施形態において高グリップエリアＰの周方向の長さは中心軸線方向に沿って一定であるため、視認方向に投影した高グリップエリアＰの周方向の投影長さも一定であってＢとなる。尚、Ｂについては図３にも示している。図２乃至図４からわかるように、Ｂ≦Ａであって、上述したようにＡ／２≦Ｂとすることが好ましい。また、高グリップエリアＰの中心角αが９０度であるとき、高グリップエリアＰの周方向の投影長さは図４のようにＡ／√２となるから、高グリップエリアＰの中心角αを９０度以下とすると、好ましくはＡ／２≦Ｂ≦Ａ／√２となる。
【００２８】
以上のように構成された釣竿用部材としてのフロントグリップ２にあっては、主要部５の外周面に高グリップエリアＰが設けられているので、フロントグリップ２の主要部５をしっかりと把持することができ、濡れた手で把持しても手が滑りにくくなる。特に、高グリップエリアＰを周方向に間隔をあけつつ複数箇所に形成しているので、高いグリップ力を容易に確保でき、しかも、グリップ模様も正確に形成できるので、良好なデザイン性も容易に確保できる。
【００２９】
特に、図１（ａ）及び図２のようにフロントグリップ２を高グリップエリアＰの周方向の中心線上の径方向外側から見たときにおいて、高グリップエリアＰの周方向の投影長さＢを、主要部５の外径Ａに対してその半分以上としているので、高グリップエリアＰ同士の間にグリップ模様の形成されていないエリアＱを形成していても、高いグリップ力を容易に確保することができる。しかも、高グリップエリアＰの中心角αを９０度以下としているので、グリップ模様を容易に正確に形成することができ、高いグリップ力と良好なデザイン性を容易に両立させることができる。
【００３０】
また、高グリップエリアＰを一対設けているので、レーザー光の照射方向は二方向で足り、レーザー光の照射回数、フロントグリップ２のセット回数が二回で済むことから、製造コストを最小限に抑制することができる。そして、二個の高グリップエリアＰを１８０度対向した位置に設けることにより、高グリップエリアＰを周方向に拡大することも容易であって、安定したグリップ力も容易に確保される。特に、同一のグリップ模様を有する同一サイズの高グリップエリアＰを１８０度対向して一対形成することにより、製造コストを削減できると同時に、高いグリップ力とバランスのよいデザインも容易に得られる。
【００３１】
特にグリップ模様が、互いに交差する方向に延びる二つの傾斜溝、即ち、第一の傾斜溝１１と第二の傾斜溝１２とを有しているので、周方向のグリップ力のみならず、中心軸線方向のグリップ力も同時に得られ、周方向及び中心軸線方向の二方向において高いグリップ力が得られる。また、グリップ模様を構成する傾斜溝が、周方向に対して所定の角度を有して傾斜しているので、傾斜溝が周方向に沿って延びている場合に比して、周方向の両端部においても正確なグリップ模様を形成しやすいという利点がある。
【００３２】
尚、本実施形態では、高グリップエリアＰを１８０度対向して一対設けたが、三箇所以上に設けてもよい。高グリップエリアＰを例えば三箇所設ける場合には、１２０度間隔毎に設けることが好ましい。何れにしても高グリップエリアＰを周方向に等間隔毎に設けることが好ましい。また、複数箇所の高グリップエリアＰを互いに同一サイズとしたが、異なるサイズとしてもよい。更に、複数箇所の高グリップエリアＰを互いに異なる形状としてもよいし、互いに異なるグリップ模様としてもよい。尚、例えば図３において周方向に隣り合う高グリップエリアＰ同士の間に、即ち、グリップ模様を形成していないエリアＱに、レーザー光により、中心軸線方向に沿って各種の文字を一列に並べるようにして刻設してもよい。
【００３３】
また更に、フロントグリップ２の主要部５の略全長に高グリップエリアＰを設けたが、主要部５のみならずフロントグリップ２の略全長に高グリップエリアＰを設けるようにしてもよい。また、フロントグリップ２の外周面に中心軸線方向に間隔をあけて複数箇所に高グリップエリアＰを形成するようにしてもよく、その場合、中心軸線方向に沿った同一線上に高グリップエリアＰを配置してもよいし、千鳥状等のように周方向に位置ずれするようにして配置してもよい。
【００３４】
グリップ模様についても種々の模様であってよく、上述の如く溝を規則的に並べたような模様の他、不規則な溝からなるグリップ模様であってもよい。例えば、図６（ａ）のように全体として周方向に指向する溝２０が不規則に多数配置されて構成されたグリップ模様としてもよい。逆に、全体として中心軸線方向に指向する溝が不規則に多数配置されて構成されたグリップ模様としてもよい。また更に、溝形状ではなく、各種の形状の凹部であってよく、例えば図６（ｂ）のように円形の凹部２１が多数配置されたグリップ模様としてもよい。無論、円形に限らず楕円形や多角形等、種々の形状としてよい。また、図６（ｂ）のように周方向と中心軸線方向の二方向に等間隔で整列状態で多数の凹部２１を規則的に配置してもよいし、不規則（ランダム）に多数の凹部を配置してもよい。このようにグリップ模様は適宜の模様であってよい。
【００３５】
尚、上記実施形態では釣竿用部材がフロントグリップ２である場合について説明したが、リールシートの後側（竿尻側）に配置されるリアグリップにも同様に適用可能である。また、筒状のリールシートが備えるシートグリップやナットにも適用可能である。シートグリップは、筒状のリールシート本体の前部あるいは後部に形成された筒状部（図示省略）に外嵌装着されるものである。ナットは、リールシート本体の外周面の雄ネジ部に螺合して可動フード体を前後に移動させるためのものであって、その外周面を発泡ＥＶＡ等のグリップ用素材から構成する。このように、少なくとも外周面がグリップ用素材からなる種々の釣竿用部材に適用可能である。
【００３６】
また、竿本体１とは別部品として別体で形成されて竿本体１に装着される釣竿用部材について説明したが、例えば竿本体１を製造する際に一体的に形成されたグリップ部や、製造された竿本体１の表面に後加工として例えばゴム系塗料等の各種の塗料を噴き付け等の各種の手法により塗布したりヤーンやテープ等の長尺体を巻回したりして形成したグリップ部にも適用可能である。また、竿本体１の外周面に所定形状のグリップ片を一個あるいは複数個貼着して構成されたグリップ部にも適用可能である。
【符号の説明】
【００３７】
１    竿本体
２    フロントグリップ
３    貫通孔
４    環状溝
５    主要部
６    テーパ部
１０    凹部連結体
１１    第一の傾斜溝
１２    第二の傾斜溝
２０    溝
２１    凹部
Ｐ    高グリップエリア
Ｑ    グリップ模様が形成されていないエリア
Ｘ    中心軸線方向
Ｙ    周方向
α    中心角
【図１】
2014239663.tif 000003
【図２】
2014239663.tif 000004
【図３】
2014239663.tif 000005
【図４】
2014239663.tif 000006
【図５】
2014239663.tif 000007
【図６】
2014239663.tif 000008